【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
少なくとも２つの構成で被検者を撮像するために変形可能なシステムであって、前記システムは、
少なくとも第１の半径を有する第１の円弧セグメントに沿って第１のガントリー端部から第２のガントリー端部へ延在するガントリー部材と、
変形可能なローターであって、
中心と前記第１の半径よりも小さい第２の半径とを有する第２の円弧セグメントに沿って、第１の終端端部から第２の終端端部へ延在する固定長セグメントであって、前記第１の固定長セグメントの外部表面は、第１のトラック部分を含む、固定長セグメント、
第１のセグメント端部から第２のセグメント端部へ延在する第１の可動式セグメントであって、前記第１の可動式セグメントの外部表面の上に第２のトラック部分を有する、第１の可動式セグメント、
第３のセグメント端部から第４のセグメント端部へ延在する第２の可動式セグメントであって、前記第２の可動式セグメントの外部表面の上に第３のトラック部分を有する、第２の可動式セグメント、ならびに、
前記固定長セグメント、前記第１の可動式セグメント、および前記第２の可動式セグメントを相互接続する変形ドライブ
を有しており、
前記変形ドライブは、前記第１の可動式セグメントおよび前記第２の可動式セグメントを前記固定長セグメントに対して移動させるように構成されており、前記第１の可動式セグメントおよび前記第２の可動式セグメントを前記第２の半径よりも小さい第３の半径を有する少なくとも第３の円弧セグメントに沿って移動させることによって、および、前記第１の可動式セグメントと前記第２の可動式セグメントの両方を前記第２の円弧セグメントの前記中心に対して半径方向に移動させることによって、開いた構成と閉じた構成との間で前記変形可能なローターを変形させる、変形可能なローターと、
前記ガントリー部材および前記変形可能なローターを相互接続して、被検者の周りで、および、前記ガントリー部材に対して、前記変形可能なローターを移動させる、ロータードライブであって、前記閉じた構成において、前記第１のトラック部分、前記第２のトラック部分、および前記第３のトラック部分が、前記変形可能なロータードライブに選択的に連結されるように整合させられる、ロータードライブと、
前記固定長セグメント上の第１の位置に接続されているソースと、
前記ソースの実質的に反対に、前記固定長セグメント上の第２の位置に接続されている検出器と、
を含み、
前記変形可能なロータードライブが前記ガントリー部材に対して前記変形可能なローターを駆動するときに、前記ソースおよび前記検出器が、前記変形可能なローターとともに前記ガントリーに対して移動する、システム。
【請求項２】
前記固定長セグメントは、第１の側壁部と、前記第１の側壁部の反対に第２の側壁部とを含み、前記第１の可動式セグメントおよび前記第２の可動式セグメントは、前記変形ドライブによって前記第１の側壁部および前記第２の側壁部との間に引き込まれるように構成されており、
前記第１の可動式セグメントは、前記固定長セグメントの中を前記第２の終端端部に向けて移動するように構成されており、
前記第２の可動式セグメントは、前記固定長セグメントの中を前記第１の終端端部に向けて移動するように構成されている、請求項１に記載のシステム。
【請求項３】
前記システムは、
第１の場所から第２の場所へ移動式および移動可能であるように構成されているベース
をさらに含み、
前記ガントリー部材は、前記ベースに移動可能に連結されている、請求項２に記載のシステム。
【請求項４】
前記ベースは、ホイールの上に装着されており、第１の場所から第２の場所へ移動可能である、請求項３に記載のシステム。
【請求項５】
前記ガントリー部材および前記変形可能なローターのすべては、前記ベースに対して独立して移動可能である、請求項３または４に記載のシステム。
【請求項６】
前記閉じた構成で、前記固定長セグメント、前記第１の可動式セグメント、および前記第２の可動式セグメントを、固定して相互接続するように可動式のロック
をさらに含む、請求項１から５のいずれかに記載のシステム。
【請求項７】
前記第１の円弧セグメントは、１８０度未満になっている、請求項１から６のいずれか一項に記載のシステム。
【請求項８】
前記第２の円弧セグメントは、１８０度以上になっている、請求項１から７のいずれか一項に記載のシステム。
【請求項９】
前記変形可能なローターは、前記開いた構成において、「Ｃ」字形状に似ており、前記閉じた構成において、「Ｏ」字形状に似ている、請求項１から８のいずれか一項に記載のシステム。
【請求項１０】
前記変形可能なローターの移動から独立して前記ガントリーを移動させるように構成されているガントリードライブ
をさらに含む、請求項１から９のいずれか一項に記載のシステム。
【請求項１１】
前記ロータードライブおよび前記変形ドライブは、前記固定長セグメント、前記第１の可動式セグメント、前記第２の可動式セグメント、および前記ガントリーに接続された単一のドライブとして形成されており、前記固定長セグメント、前記第１の可動式セグメント、および前記第２の可動式セグメントのすべてを移動させる、請求項１から１０のいずれか一項に記載のシステム。
【請求項１２】
前記固定長セグメントは、第１の側壁部と、前記第１の側壁部の反対に第２の側壁部とを含み、前記第１の可動式セグメントおよび前記第２の可動式セグメントは、前記変形ドライブによって前記第１の側壁部および前記第２の側壁部との間に引き込まれるように構成されており、
前記第１の可動式セグメントは、前記固定長セグメントの中を前記第２の終端端部に向けて移動するように構成されており、
前記第２の可動式セグメントは、前記第２の終端端部に向けて前記第１の可動式セグメントの中を移動するように構成されている、請求項１に記載のシステム。
【請求項１３】
前記第１の可動式セグメントは、前記第１の側壁部に隣接しており、
前記第２の可動式セグメントは、前記第２の側壁部に隣接している、請求項１１に記載のシステム。
【請求項１４】
少なくとも２つの構成で被検者を撮像するために変形可能なシステムであって、
第１のガントリー終端端部から第２のガントリー終端端部へ延在するガントリー部材と、
ローターであって、
第１の終端端部および第２の終端端部、ならびに、第２の外部縁部を有する第２の側壁部の反対に第１の外部縁部を有する第１の側壁部を備えた、「Ｃ」字形状を有する固定長セグメントであって、前記第１の側壁部と前記第２の側壁部との間に、体積が少なくとも部分的に形成されている、固定長セグメント、
前記体積の中の第１の位置に接続されているソース、
前記体積の中で、および、前記ソースの実質的に反対に、前記固定長セグメント上の第２の位置に接続されている検出器、
第１のセグメント端部から第２のセグメント端部へ延在する第１の可動式セグメント、ならびに、
前記固定長セグメントおよび前記第１の可動式セグメントに動作可能に接続されているセグメントドライブであって、前記セグメントドライブは、実質的に前記「Ｃ」字形状になっている開いた構成と、「Ｏ」字形状になっている閉じた構成との間で、前記固定長セグメントに対して前記第１の可動式セグメントを移動させるように構成されている、セグメントドライブ
を有する、ローターと、
前記ガントリー部材および前記ローターに動作可能に接続され、前記ガントリー部材に対して前記ローターを移動させるロータードライブと、
を含み、
前記ソースおよび前記検出器は、前記ロータードライブが前記ガントリー部材に対して前記ローターを駆動するときに、前記ローターとともに前記ガントリーに対して移動する、システム。
【請求項１５】
前記第１の可動式セグメントは、前記開いた構成において、前記第１の側壁部と前記第２の側壁部との間にある、請求項１４に記載のシステム。
【請求項１６】
前記セグメントドライブは、湾曲した経路と線形の経路の両方で、前記第１の側壁部と前記第２の側壁部との間から前記第１の可動式セグメントを移動させ、前記第１の可動式セグメントの第１のセグメント側壁部を前記第１の側壁部と整合させ、前記第１セグメント側壁部および前記第１の側壁部に沿って前記ローターの周りに実質的に連続的なトラックを形成するように構成されている、請求項１５に記載のシステム。
【請求項１７】
第３のセグメント端部から第４のセグメント端部へ延在する第２の可動式セグメント
をさらに含む、請求項１６に記載のシステム。
【請求項１８】
前記セグメントドライブは、前記固定長セグメント、前記第１の可動式セグメント、および前記第２の可動式セグメントのすべてに動作可能にさらに接続されており、
前記セグメントドライブは、実質的に前記「Ｃ」字形状になっている開いた構成と、「Ｏ」字形状になっている閉じた構成との間で前記固定長セグメントに対して、前記第１の可動式セグメントおよび前記第２の可動式セグメントを移動させるように構成されている、請求項１７に記載のシステム。
【請求項１９】
前記セグメントドライブは、前記第１の側壁部と前記第２の側壁部との間から前記第２の可動式セグメントを移動させ、前記第２の可動式セグメントの第２のセグメント側壁部を前記第１の側壁部と整合させ、前記第１のセグメント側壁部、前記第２のセグメント側壁部、および前記第１の側壁部に沿って前記ローターの周りに実質的に連続的なトラックを形成するように構成されている、請求項１８に記載のシステム。
【請求項２０】
前記システムは、
表面の上に前記ガントリーを支持するためにホイールを有するベース
をさらに含み、
前記ガントリーは、前記表面の上方に５フィート（１．５２４メートル）未満の最大高さを有する、請求項１４から１９のいずれか一項に記載のシステム。
【請求項２１】
変形可能な画像システムによって被検者を撮像する方法であって、前記方法は、
第１のガントリー終端端部から第２のガントリー終端端部へ延在するガントリーを提供するステップと、
ローターを前記ガントリーに移動可能に連結するステップであって、前記ローターは、固定長セグメントを有しており、前記固定長セグメントは、第１の終端端部と第２の終端端部との間に延在しており、第２の側壁部の反対に第１の側壁部をさらに有する、ステップと、
前記第１の側壁部と前記第２の側壁部との間で第１の位置において検出器によって前記被検者に関して第１の画像データを獲得するためにイメージャーを提供するステップと、
前記第１の可動式セグメントが前記固定長セグメントから拡張するように動作可能となるように、第１の可動式セグメントを前記固定長セグメントに移動可能に連結するステップと、
前記固定長セグメントおよび前記第１の可動式セグメントに動作可能に接続されているセグメントドライブを提供するステップであって、前記ドライブは、実質的に「Ｃ」字形状になっている開いた構成における前記第１の側壁部と前記第２の側壁部との間から、「Ｏ」字形状になっている閉じた構成へ、前記固定長セグメントに対して前記第１の可動式セグメントを移動させるように構成されており、前記第１の可動式セグメントは、前記固定長セグメントの第２のトラック部分と整合させられる第１のトラック部分を含む、ステップと、
前記ガントリー部材および前記ローターに動作可能に接続され、前記ガントリー部材に対して前記ローターを移動させるロータードライブを提供するステップと、
を含む、方法。
【請求項２２】
前記方法は、
前記固定長セグメント上の第１の位置に接続されているソースを提供するステップと、
前記ソースの実質的に反対に、前記固定長セグメント上の第２の位置に接続されている前記検出器を提供するステップと、
をさらに含み、
前記ロータードライブが前記ガントリーに対して前記ローターを駆動するときに、前記ソースおよび前記検出器が、前記ローターとともに前記ガントリーに対して移動する、請求項２１に記載の方法。
【請求項２３】
前記ローターが前記「Ｃ」字形状になっているときに、および、前記ローターが前記「Ｏ」字形状になっているときに、画像データを獲得するために前記検出器を動作させるステップ
をさらに含む、請求項２２に記載の方法。
【請求項２４】
前記ローターから独立して前記ガントリーを移動させるためにガントリードライブを提供するステップをさらに含み、
前記セグメントドライブは、湾曲した経路と線形の経路の両方で、前記固定長セグメントに対して前記第１の可動式セグメントを移動させるように構成されている、請求項２２に記載の方法。
【請求項２５】
前記ガントリーがその上に移動可能に装着される移動式カートを提供するステップ
をさらに含む、請求項２４に記載の方法。
【請求項２６】
被検者の画像を獲得するように構成されているイメージングシステムであって、前記イメージングシステムは、
画像データを生成するためにエネルギーを放出するように構成されているソースと、
放出された前記エネルギーを検出し、検出された放出された前記エネルギーに基づいて画像データを生成するように構成されている検出器と、
中心の周りに円弧に沿って延在するトラックと、
を含み、
前記ソースおよび前記検出器は、前記トラックに沿って、第１の位置から第２の位置へ、個別に独立して移動可能であり、前記第２の位置は、前記第１の位置よりも大きい、前記ソースと前記検出器との間の距離を有する、イメージングシステム。
【請求項２７】
前記イメージングシステムは、コントローラーをさらに含み、
前記コントローラーは、前記トラック上の前記検出器に対する前記ソースの移動を制御するように構成されている、請求項２６に記載のイメージングシステム。
【請求項２８】
前記トラックは、第１のセグメントおよび第２のセグメントを含み、
前記第２のセグメントは、第１の構成から第２の構成へ前記トラックの形状を変化させるように前記第１のセグメントに対して移動可能である、請求項２６または２７に記載のイメージングシステム。
【請求項２９】
前記第１のセグメントは、アーチ形になっており、前記第２のセグメントは、アーチ形になっている、請求項２８に記載のイメージングシステム。
【請求項３０】
前記第２のセグメントは、前記第１のセグメントに対して移動し、完全な３６０度の環状のトラックを形成するように構成されており、画像データの獲得のために前記トラックの中に前記被検者が位置決めされる、請求項２９に記載のイメージングシステム。
【請求項３１】
前記検出器は、第１の検出器および第２の検出器を含む、請求項２６から３０のいずれか一項に記載のイメージングシステム。
【請求項３２】
前記第１の検出器は、前記第２の検出器から独立して移動するように構成されている、請求項３１に記載のイメージングシステム。
【請求項３３】
前記イメージングシステムは、ベースをさらに含み、
前記トラックの少なくとも第１のセグメントは、前記ベースに対して移動不可能であり、
前記ソースおよび前記検出器の両方が、前記トラックの前記第１のセグメント上で動くようになっている、
請求項２６から３２のいずれか一項に記載のイメージングシステム。
【請求項３４】
前記トラックの第２のセグメントは、前記ソースおよび前記検出器が前記被検者に対して移動するように構成されている所定の距離だけ拡張するように、前記第１のセグメントに対して移動可能であり、る、請求項３３に記載のイメージングシステム。
【請求項３５】
前記イメージングシステムは、ガントリーをさらに含み、
前記ガントリーは、前記ベースに対して固定されており、前記トラックの第２のセグメントは、前記ガントリーに対して移動するように構成されている、請求項３３に記載のイメージングシステム。
【請求項３６】
被検者の画像を獲得するように構成されているイメージングシステムであって、前記イメージングシステムは、
画像データを生成するためにエネルギーを放出するように構成されているソースと、
放出された前記エネルギーを検出し、検出された放出された前記エネルギーに基づいて画像データを生成するように構成されている検出器と、
トラックシステムであって、
中心の周りに第１の円弧長さに沿って延在する、ベースに接続されている第１のセグメント、および、
前記第１のセグメントに対して移動可能な第２のセグメントであって、前記中心の周りに第２の円弧長さに沿って延在している、第２のセグメント
を含む、トラックシステムと、
を含み、
前記ソースおよび前記検出器は、前記トラックに沿って、第１の位置から第２の位置へ、独立して移動可能であり、前記第２の位置は、前記第１の位置よりも大きい、前記ソースと前記検出器との間の距離を有する、イメージングシステム。
【請求項３７】
前記ベースは、前記イメージングシステムがユーザーによって第１の場所から第２の場所へ移動することを可能にするように構成されている移動式部分を含む、請求項３６に記載のイメージングシステム。
【請求項３８】
前記第２のセグメントは、「Ｏ」字形状トラックを形成するように前記第１のセグメントに対して移動するように構成されている、請求項３６または３７に記載のイメージングシステム。
【請求項３９】
前記ソースおよび前記検出器は、前記トラックの前記第１のセグメントで選択的に移動するように構成されている、請求項３８に記載のイメージングシステム。
【請求項４０】
前記トラックの前記第１のセグメントは、前記ベースに対して固定されている、請求項３９に記載のイメージングシステム。
【請求項４１】
前記トラックの前記第１のセグメントは、前記ソースおよび前記検出器から独立して、前記ベースに対して移動可能である、請求項３９に記載のイメージングシステム。
【請求項４２】
前記トラックの前記第１のセグメントは、前記ベースに対して固定されており、前記トラックの前記第２のセグメントは、前記ベースに対して移動可能であり、
前記ソースおよび検出器は、前記被検者に対して、選択された位置へ前記トラックに沿って移動可能である、請求項３６に記載のイメージングシステム。
【請求項４３】
検出器の反対にソースを位置決めするために、トラックに沿って前記検出器に対して前記ソースを移動させる方法であって、
ユーザー入力に起因してコマンドモジュールから命令を受け取るステップと、
前記コマンドモジュールにおいて受け取られた前記命令に基づいて、ソースコントロールへ第１の信号を送信するステップと、
前記コマンドモジュールにおいて受け取られた前記命令に基づいて、検出器コントロールへ第２の信号を送信するステップと、
前記第１の信号に基づいて前記ソースをソース位置へ移動させるステップと、
前記第２の信号に基づいて前記検出器を検出器位置へ移動させるステップと、
を含む、方法。
【請求項４４】
前記第２の信号は、前記第１の信号から１８０度オフセットされている、請求項４３に記載の方法。
【請求項４５】
前記第２の信号は、前記ソースコントロールから送信され、前記第１の信号から１８０度オフセットされている、請求項４３または４４に記載の方法。
【請求項４６】
前記第１の信号を送信するステップ、および、前記第２の信号を送信するステップは、少なくとも、前記ソースの移動の速度の平均および前記検出器の移動の速度の平均に基づいており、前記第２の信号を送信するステップは、前記ソースの前記移動の速度と前記検出器の前記移動の速度との間の差に基づいている、請求項４３から４５のいずれか一項に記載の方法。
【請求項４７】
被検者の画像データを獲得するために前記被検者に対して位置決めされるように構成されているイメージングシステムであって、
少なくとも第１の固定寸法セグメントおよび第２の入れ子式セグメントを有するガントリーであって、前記第２の入れ子式セグメントは、前記ガントリーの寸法を変化させるために前記第１の固定寸法セグメントに対して移動するように構成されている、ガントリーと、
前記ガントリーを運搬するように構成されているカートであって、前記第１の固定寸法セグメントが、前記カートに固定されている、カートと、
を含み、
前記第２の入れ子式セグメントは、幅の広い寸法から幅の狭い寸法へテーパーを付される構成を備えた外側壁部を含み、幅の広い寸法を有する前記外側壁部の一部分は、前記第１の固定寸法セグメントの中にとどまっている、イメージングシステム。
【請求項４８】
前記イメージングシステムは、複数の入れ子式セグメントをさらに含み、
前記複数の入れ子式セグメントのそれぞれの入れ子式セグメントは、隣接する入れ子式セグメントの中に折り畳むように構成されている、請求項４７に記載のイメージングシステム。
【請求項４９】
前記入れ子式セグメントのそれぞれは、第１の端部から第２の端部へテーパーを付された外部壁部を含み、前記外部壁部は、隣接する入れ子式セグメントに係合して、前記入れ子式セグメントのそれぞれを隣接する入れ子式セグメントに固定する、請求項４８に記載のイメージングシステム。
【請求項５０】
前記第１の固定寸法セグメントは、第１の開放端部および第２の開放端部を有しており、
前記第２の入れ子式セグメントは、前記第１の開放端部から拡張している、請求項４７から４９のいずれか一項に記載のイメージングシステム。
【請求項５１】
前記第１の固定寸法セグメントは、第１の開放端部および第２の開放端部を有しており、
前記第２の入れ子式セグメントは、前記第２の開放端部から拡張している、請求項４７から４９のいずれか一項に記載のイメージングシステム。
【請求項５２】
前記イメージングシステムは、第１のトラックセグメントおよび第２のトラックセグメントを有する、前記ガントリーの中に延在するトラックをさらに含み、
前記第１のトラックセグメントは、前記第１の固定寸法セグメントの中に固定されており、
前記第２のトラックセグメントは、前記第２の入れ子式セグメントとともに移動可能である、請求項４７から５１のいずれか一項に記載のイメージングシステム。
【請求項５３】
前記第２のトラックセグメントは、前記第２の入れ子式セグメントが前記第１の固定寸法セグメントから拡張されるときに前記第２のトラックセグメントを前記第１のトラックセグメントと整合するように拡張させるためにリンケージによって保持されている、請求項５２に記載のイメージングシステム。
【請求項５４】
前記ガントリーは、第１の「Ｃ」字形状から第２の「Ｃ」字形状へ構成を変化させるように構成されており、
前記第１の「Ｃ」字形状は、前記第２の「Ｃ」字形状の第２の円弧長さよりも小さい円弧長さを有する、請求項４７から５３のいずれか一項に記載のイメージングシステム。
【請求項５５】
前記ガントリーは、前記第１の「Ｃ」字形状または前記第２の「Ｃ」字形状から第３の「Ｏ」字形状へ構成を変化させるように構成されている、請求項５４に記載のイメージングシステム。
【請求項５６】
前記イメージングシステムは、画像データを生成するためにエネルギーを検出するように構成されている検出器をさらに含み、
前記検出器は、前記第１の固定寸法セグメントの端部に対して、選択された場所へ、前記ガントリーの中を移動するように構成されている、請求項４７から５５のいずれか一項に記載のイメージングシステム。
【請求項５７】
被検者の画像データを獲得するために前記被検者に対して位置決めされるように構成されているイメージングシステムであって、
画像データを生成するためにエネルギーを検出するように構成されている検出器と、
ガントリーであって、
少なくとも第１の開放端部を有する、少なくとも固定寸法セグメント、および、
前記第１の開放端部から拡張することによって前記ガントリーの寸法を変化させるために前記第１の固定寸法セグメントに対して移動するように構成されている入れ子式セグメント
を有する、ガントリーと、
前記ガントリーを運搬するように構成されているベースであって、それに対して前記第１の固定寸法セグメントが固定して保持されている、ベースと、
を含み、
前記入れ子式セグメントは、幅の広い寸法から幅の狭い寸法へテーパーを付される構成を備えた外側壁部を含み、幅の広い寸法を有する前記外側壁部の一部分は、前記固定寸法セグメントの中にとどまっており、
前記検出器は、前記ガントリーの中心の周りに前記ガントリーの中を移動するように構成されている、イメージングシステム。
【請求項５８】
前記入れ子式セグメントは、複数の入れ子式セグメントを含み、
前記複数の入れ子式セグメントのそれぞれの入れ子式セグメントは、隣接する入れ子式セグメントの中に折り畳むように構成されている、請求項５７に記載のイメージングシステム。
【請求項５９】
前記入れ子式セグメントのそれぞれは、前記幅の広い寸法から前記幅の狭い寸法へテーパーを備えた前記外側壁部を含み、前記幅の広い寸法を有する前記外側壁部の前記一部分は、前記複数の入れ子式セグメントのうちの隣接する１つの入れ子式セグメントの中にとどまっている、請求項５８に記載のイメージングシステム。
【請求項６０】
前記ガントリーの中のトラックをさらに含む、請求項５９に記載のイメージングシステム。
【請求項６１】
前記イメージングシステムは、ローターをさらに含み、
前記ローターは、前記ガントリーの中の前記トラックの上に乗っており、前記検出器は、前記ローターに装着されている、請求項６０に記載のイメージングシステム。
【請求項６２】
前記トラックは、前記固定寸法セグメントに固定されている第１の固定されたトラックセグメントと、前記複数の入れ子式セグメントのそれぞれの入れ子式セグメントに移動可能に接続されている複数の第２のトラックセグメントとを含む、請求項６１に記載のイメージングシステム。
【請求項６３】
前記複数の第２のトラックセグメントのそれぞれの第２のトラックセグメントを、前記複数の入れ子式セグメントのそれぞれの入れ子式セグメントに移動可能に接続するリンケージ
をさらに含む、請求項６２に記載のイメージングシステム。
【請求項６４】
被検者の画像データを獲得するために前記被検者に対して位置決めされるように構成されているイメージングシステムであって、前記イメージングシステムは、
画像データを生成するためにエネルギーを検出するように構成されている検出器と、
ガントリーであって、
少なくとも、第１の寸法を有する固定寸法セグメント、および、
前記第１の寸法を第２の寸法へ変更するために前記第１の固定寸法セグメントに対して移動するように構成されている入れ子式セグメント
を有する、ガントリーと、
前記ガントリーを運搬するように構成されているベースであって、それに前記第１の固定寸法セグメントが固定して保持されており、表面の上に支持されているホイールを含む、ベースと、
を含み、
前記入れ子式セグメントは、幅の広い寸法から幅の狭い寸法へテーパーを付される構成を備えた外側壁部を含み、幅の広い寸法を有する前記外側壁部の一部分は、前記固定寸法セグメントの中にとどまっており、
前記検出器は、前記ガントリーの中心の周りに前記ガントリーの中を移動するように構成されている、イメージングシステム。
【請求項６５】
前記第１の寸法は、前記第２の寸法よりも小さく、
前記第１の寸法および前記第２の寸法は、前記表面の上方の高さである、請求項６４に記載のイメージングシステム。
【請求項６６】
前記第１の寸法は、５フィート（１．５２４メートル）である、請求項６５に記載のイメージングシステム。
【請求項６７】
前記第１の信号のオフセットである、前記第１の信号に基づく第２の信号を発生させるステップを更に含み、
前記第２の信号を送信するステップは、前記コマンドモジュールで受けた命令に基づいて、前記第２の信号を前記検出器の制御へ送信し、および前記オフセットした第１の信号を送信するステップを更に含む、請求項４３に記載の方法。